(57)【要約】      （修正有）【課題】ケース形状がコンパクトとなり、デザイン性が向上し、扱いやすい車載用シガーライターソケット増設装置を提供する。【解決手段】シガーライターソケット５に接続される入力用プラグ６と、ケースに設けられた三つの分配用ソケット２７と、各分配用ソケット２７への給電を入切する三つのスイッチ部と、スイッチ部ごとに入切状態を表示する三つのＬＥＤとを備えて車載用シガーライターソケット増設装置３を構成する。さらに、スイッチ部をケースの表面に形成されたタッチパネルスイッチで構成し、各スイッチ部に対向させてＬＥＤを配置する。また、これを実現するために、回路部に電圧制御回路を設けて電圧を降下させ、スイッチ部、ＬＥＤに適正電圧を印加し、駆動回路を設けてスイッチ部の入切操作をトリガー信号として分配用ソケット２７の通電を制御する。【選択図】図１
0003171342.tif 000002
【実用新案登録請求の範囲】
【請求項１】
カーバッテリーを電源とした既設のシガーライターソケット（５）に差し込んで該ソケットと接続される一個の入力用プラグ（６）と、該入力用プラグに接続されたケース（２０）に設けられた外部機器接続用の複数の分配用ソケット（２７）と、前記ケースの表面にあって、前記分配用ソケットへの給電を入切する複数のスイッチ部（２２ａ）と、前記ケースに実装され、前記スイッチ部ごとにその入切状態を表示する複数のＬＥＤ（２５）とを備えた車載用シガーライターソケット増設装置（３）において、
前記スイッチ部を、前記分配用ソケットに対応する複数の押圧操作部が前記ケースの表面に形成されたタッチパネルスイッチにより構成するとともに、前記ケース内に前記各スイッチ部に対向させて前記ＬＥＤを配置し、
前記ケース内において、前記電源に接続された回路部（２３）の前段に電圧制御部（３０）を設けて電圧を降下させ、前記スイッチ部ごとに適正電圧を印加するとともに該スイッチ部への給電を押圧操作により入切し、該入切操作ごとに対応する前記ＬＥＤを点消灯させることによりその入切状態を表示し、
前記回路部の後段に駆動部（３１）を設けて前記電源に電圧を降下させて前記分配用ソケットに接続し、前記スイッチ部による入切状態の変化をトリガー信号として該電圧を前記駆動部に印加することにより、前記分配用ソケットを通電・非通電状態に切換制御することを特徴とする車載用シガーライターソケット増設装置。
【請求項２】
前記ケースを、前記入力用プラグに接続するとともに、複数の前記分配用ソケットが設けられ、且つ前記電圧制御部及び前記駆動部を備えた回路部が設けられた本体ケース（４０）と、前記スイッチ部が表面に設けられ、該スイッチ部に対向させて前記ＬＥＤが配置されたリモコンケース（４１）とに分割し、
前記本体ケースと前記リモコンケースの間を、前記スイッチ部及び前記ＬＥＤに前記電圧制御部により降下させた電圧を供給するとともに、前記駆動部に前記スイッチ部の入切操作に基づく前記トリガー信号を伝達するための中間コード（４２）により接続したことを特徴とする請求項１記載の車載用シガーライターソケット増設装置。
【請求項３】
前記電源がＤＣ１２Ｖであり、前記分配用ソケット、前記スイッチ部及び前記ＬＥＤはそれぞれ三つずつ相互に対応して設けられ、前記タッチパネルスイッチは前記スイッチ部が並列した半透明のシート状部材により形成されるとともに、シート状部材の一側部にはＵＳＢポート（２６）が設けられたことを特徴とする請求項１又は２記載の車載用シガーライターソケット増設装置。
【考案の詳細な説明】
【技術分野】
【０００１】
本考案は、乗用車に既設のシガーライターソケットに接続して電気分配する車載用シガーライターソケット増設装置に関する。
【背景技術】
【０００２】
一般に、乗用車の車内に設けられたシガーライターソケットは、カーバッテリーに接続された電源ソケットの一種であって、ヒータ式ライターを差し込んで通電することによりこれを赤熱させ、ライターが着火温度まで加熱されるとソケットから自動的に突出するので、これをソケットから引き抜いてヒータ部を煙草に押し付けることにより、煙草を着火させる用途に用いられている。このため、従来は、ソケット数は一つで十分とされていた。
【０００３】
一方、近年では携帯電話の充電器、室内用マップライト、カーナビなど、給電を必要とする携帯機器や後付の電気機器などが増加している。また、喫煙人口も減少していることから、シガーライターソケットの用途も変化し、最近ではその用途の変化から電源ソケットとも言われており、且つ、その必要性から増設が望まれていた。
【０００４】
このような要望に応えて、従来より、シガーライターソケットに接続して電気分配するための増設装置が提供されている（下記特許文献１）。ソケット増設装置は、家庭用のテーブルタップと同じく、既設の電源ソケットに差し込んで接続するための一個の入力用プラグと、入力用プラグに接続されたケースに複数の分配用ソケットを設けたものであり、各ソケットにそれぞれ端末電気機器のプラグを差し込んで接続する構成である。さらに、ケースには各分配用ソケットごとにその電源を入切するスイッチが付設されているとともに、各スイッチ付近にその入切を表示する表示部が設けられ、該当するソケットに対する通電の有無を目視確認可能としている。
【０００５】
なお、これらのスイッチや表示部が必要なのは、末端機器を接続して給電したまま放置することに起因するエンジン停止時におけるカーバッテリーの過度の消耗、いわゆるバッテリー上がりを防止する目的で設けられたものである。
【先行技術文献】
【特許文献】
【０００６】
【特許文献１】実用新案登録第３００８７０２号公報
【考案の開示】
【考案が解決しようとする課題】
【０００７】
しかしながら、上述したような従来のソケット増設装置では、ＤＣ１２Ｖの電源に直接接続されており、電源を入切するスイッチはこれに適用してプッシュ式スイッチ又はトグルスイッチなどの機械的なスイッチを使わざるを得なかった。そのため、装置サイズが大型化し、デザイン上の制約もあった。
【０００８】
特にトグルスイッチを採用した場合には、スイッチの操作部がケースの表面から大きく突出しているため、狭い車内では操作部に引っ掛かるなどの危険性が生じ、取り扱い難いものとなっていた。また、プッシュ式スイッチの場合であっても、突出部がある他、操作部（ボタン）に遊びがあるため、がたつきが生じ、操作感が安っぽいものとなる欠点があった。
【０００９】
また、ソケット増設装置の操作性を上げるために、ケースを操作部と接続部とに分割し、両者間を中間コードで接続する場合においても、電源がＤＣ１２Ｖと高いため、中間コードも太いものを選択しなければならず、嵩張ることがあった。
【００１０】
そこで本考案は、このような課題を解決するためになされたものであり、タッチパネルスイッチを用いたことにより、スイッチ部及び通電状態などを表示する表示部が平坦となり、ケース形状がコンパクトとなり、デザイン性が向上し、また、扱いやすい車載用シガーライターソケット増設装置を提供することを目的としている。
【課題を解決するための手段】
【００１１】
次に、上記の課題を解決するための手段を、実施の形態に対応する図面を参照して説明する。
本考案に係る請求項１記載の車載用シガーライターソケット増設装置は、カーバッテリーを電源とした既設のシガーライターソケット（電源ソケット）５に差し込んで該ソケット５と接続される一個の入力用プラグ６と、該入力用プラグ６に接続されたケース２０に設けられた外部機器接続用の複数の分配用ソケット２７と、前記ケース２０の表面にあって、前記分配用ソケット２７への給電を入切する複数のスイッチ部２２ａと、前記ケース２０に実装され、前記スイッチ部２２ａごとにその入切状態を表示する複数のＬＥＤ２５とを備えた車載用シガーライターソケット増設装置３において、
前記スイッチ部２２ａを、前記分配用ソケット２７に対応する複数の押圧操作部が前記ケース２０の表面に形成されたタッチパネルスイッチにより構成するとともに、前記ケース２０内に前記各スイッチ部２２ａに対向させて前記ＬＥＤ２５を配置し、
前記ケース２０内において、前記電源に接続された回路部２３の前段に電圧制御部（電圧制御回路）３０を設けて電圧を降下させ、前記スイッチ部２２ａごとに適正電圧を印加するとともに該スイッチ部２２ａへの給電を押圧操作により入切し、該入切操作ごとに対応する前記ＬＥＤ２５を点消灯させることによりその入切状態を表示し、
前記回路部２３の後段に駆動部（駆動回路）３１を設けて前記電源に電圧を降下させて前記分配用ソケット２７に接続し、前記スイッチ部２２ａによる入切状態の変化をトリガー信号として該電圧を前記駆動部３１に印加することにより、前記分配用ソケット２７を通電・非通電状態に切換制御することを特徴としている。
【００１２】
請求項２記載の車載用シガーライターソケット増設装置は、前記ケース２０を、前記入力用プラグ６に接続するとともに、複数の前記分配用ソケット２７が設けられ、且つ前記電圧制御部３０及び前記駆動部３１を備えた回路部２３が設けられた本体ケース４０と、前記スイッチ部２２ａが表面に設けられ、該スイッチ部２２ａに対向させて前記ＬＥＤ２５が配置されたリモコンケース４１とに分割し、
前記本体ケース４０と前記リモコンケース４１の間を、前記スイッチ部２２ａ及び前記ＬＥＤ２５に前記電圧制御部３０により降下させた電圧を供給するとともに、前記駆動部３１に前記スイッチ部２２ａの入切操作に基づく前記トリガー信号を伝達するための中間コード４２により接続したことを特徴としている。
【００１３】
請求項３記載の車載用シガーライターソケット増設装置は、前記電源がＤＣ１２Ｖであり、前記分配用ソケット２７、前記スイッチ部２２ａ及び前記ＬＥＤ２５はそれぞれ三つずつ相互に対応して設けられ、前記タッチパネルスイッチは前記スイッチ部２２ａが並列した半透明のシート状部材により形成されるとともに、シート状部材の一側部にはＵＳＢポート２６が設けられたことを特徴としている。
【００１４】
なお、前記分配用ソケット２７は、前記シガーライターソケット５と同形及び同一寸法に形成されていてもよいし、また、例えば、前記外部機器の入力用プラグ６に対応した別の形状、寸法に形成されていてもよい。すなわち、前記分配用ソケット２７がシガーライターソケット５と同形及び同一寸法であれば、通常の使用形態のとおり、元々シガーライターソケット５に差し込んで使用していた外部機器を車載用シガーライターソケット増設装置３にそのまま差し込んで使用することができ、前記分配用ソケット２７が外部機器の入力用プラグに対応した別の形状、寸法であれば、車載用には対応していない電気機器なども車内Ｒで使用することができる。
【考案の効果】
【００１５】
本考案の車載用シガーライターソケット増設装置によれば、タッチパネルスイッチを用いたことにより、スイッチ部及びＬＥＤなどから構成された通電状態などを表示する表示部が平坦となり、ケース形状がコンパクトとなる。また、デザイン性が向上する。さらに、従来のトグルスイッチなどを用いた場合に比べて凹凸がないため、狭い車内でこれらに引っ掛かることなどがなく、誤作動などを防止し、扱いやすいものとなる。
【００１６】
また、ケースを、本体ケースとリモコンケースに分割して構成することにより、本体ケースを接続に適した位置に設置する一方で、リモコンケースを好みの位置で使用することができるため、使い勝手がよいものとなる。さらに、本体ケースとリモコンケースの間を接続する中間コードを細径とすることができるため、デザイン上の制約が少なくなり、また、嵩張らず、扱いやすいものとなる。
【００１７】
さらに、分配用ソケット、スイッチ部及びＬＥＤが並列した半透明のシート状部材により形成されることにより、スイッチ部に光を透過させるなどの装飾が可能となり、デザイン性が向上する。また、ＵＳＢポートが設けられたことにより、汎用性が向上する。
【図面の簡単な説明】
【００１８】
【図１】本考案の第一の実施の形態を車内に設置した状態を示す説明図である。
【図２】（ａ）第一の実施の形態を分解した状態を示す斜視図である。  （ｂ）第一の実施の形態を組み立てた状態を示す斜視図である。
【図３】（ａ）第一の実施の形態のケースを分解して示す平面図である。  （ｂ）同正面図である。  （ｃ）同側面図である。
【図４】（ａ）第一の実施の形態のケースを組み立てて示す平面図である。  （ｂ）同正面図である。  （ｃ）同背面図である。  （ｄ）同側面図である。
【図５】第一の実施の形態の電気的構成を示す機能ブロック図である。
【図６】第二の実施の形態を示す斜視図である。
【考案を実施するための形態】
【００１９】
以下、本考案の各実施の形態を図面を参照して具体的に説明する。まず、図１乃至５を参照して第一の実施の形態について説明する。
「第一の実施の形態」
図１に示すように、乗用車の車内Ｒにおける前部側の中央床面には、運転席と助手席（いずれも図示は省略する）を区画するセンターコンソール１が配置されている。センターコンソール１にはシフトレバー２が突設され、センターコンソール１の後部はコンソールボックス１ａとなっている。コンソールボックス１ａ上には本考案の車載用シガーライターソケット増設装置（以下、ソケット増設装置と略称する）３が設置されている。なお、図１では、ソケット増設装置３を誇張して描いているが、実際には手の平サイズである。
【００２０】
また、センターコンソール１の前部において、これに連続して車内Ｒの最前部であるダッシュパネルＰの中央部にはインストルメントパネル４が設けられている。インストルメントパネル４は、空調、カーオーディオなどの表示部及び調整部を備える他、シガーライターソケット（最近の傾向を踏まえて、以降はこれを電源ソケットと言う）５を備えており、その接続端部を外部に覗かせている。電源ソケット５は、図示しないカーバッテリーに接続されており、その電圧はＤＣ１２Ｖである。なお、車内Ｒにおける電源ソケット５の位置は車種などによって異なり、図１はその一例に過ぎない。
【００２１】
ソケット増設装置３の入力端は、電源ソケット５に差し込まれる入力用プラグ６がその先端に設けられた入力用の電源コード７を介してカーバッテリーに接続される。
【００２２】
なお、図１において、符号８はステアリングホイール、符号９はステアリングホイールの前方にあってダッシュパネルＰに組み込まれたメータパネル、符号１０は助手席の前方においてダッシュパネルＰに組み込まれたグローブボックスである。
【００２３】
これらに加えてこの実施の形態では、インストルメントパネル４の上部に後付けのカーアクセサリー（外部機器）としてカーナビの液晶モニタ１１が配置されている。この液晶モニタ１１に対する給電用の電源コード１１ａの先端には、ソケット増設装置３の入力用プラグ６と同一の形状、寸法の接続用プラグ１２がソケット増設装置３の一面に配列された後述する複数（三つ）の分配用ソケット２７の一つに差し込まれることにより、ソケット増設装置３を通じてカーバッテリーに電気接続されるようになっている。
【００２４】
したがって、この実施の形態では、三つの電気機器などの外部機器を電源ソケット５を通じてカーバッテリーに電気的に接続可能となる。なお、この実施の形態では、ソケット増設装置３の電源接続側を助手席側に向け、後述するスイッチ部２２ａ及びＬＥＤ２５などから構成された表示部を運転席側に向けており、運転者の操作により電源の入切を行えるようになっているが、運転席又は助手席のいずれか一方を接続側とし、他方を操作側に向けて配置するかは操作性を勘案して適宜選択すればよい。
【００２５】
図２乃至４において、ソケット増設装置３は、一端が開口しており、他端に三つの半円状の切欠き２０ａが横一列に並んだ上下一対の半部が組み合わされた合成樹脂製のケース２０と、ケース２０の一端開口に嵌合されるカバー２１と、このカバー２１の表面に固着される表示シート２２と、ケース２０に組み込まれてその内部に固定される回路部２３とを備えている。
【００２６】
電源コード７は、ケース２０の一方の半部を貫通して回路部２３に接続されるものであり、その長さが使用者の邪魔とならないように適宜設定されている。また、入力用プラグ６は、特に図２（ａ），（ｂ）に示すように、電源ソケット５のシリンダ形状に応じた筒状の絶縁体の外周に、板ばね式の一対の同極端子部６ａと、筒状先端に突出した異極端子部６ｂとを備えたものである。
【００２７】
カバー２１には、三つの円形孔２１ａが開口形成されているとともに、左右の一端にＵＳＢコード２４を差し込むための矩形孔２１ｂが開口形成されている。
【００２８】
表示シート２２は、可撓性を有し、且つ暗色半透明のシート素材からなる。表示シート２２は、タッチパネルスイッチを構成するものであり、その表面には円形孔２１ａの配列と同一の間隔で他の部位から区画される三つの略円形のスイッチ部２２ａが印刷により形成されるとともに、各スイッチ部２２ａの表面の内側にスイッチ番号（「１」，「２」，「３」）が印刷されている。また、表示シート２２の左右一端には、矩形孔２１ｂと一致する矩形孔２２ｂが開口形成され、この矩形孔２２ｂの近傍には「ＵＳＢ」という印刷が施されている。なお、図示しないが、表示シートの裏面側には、各スイッチ部２２ａごとに銅板などの金属導電部が設けられており、各導電部を回路部２３側に実装された図示しない接点部に対して接離することにより、該当するスイッチ部の押圧操作ごとに接点部に連動して電源の入切動作がなされる。
【００２９】
回路部２３は、カバー２１側に向けて配置された水平基板２３ａと、ケース２０を前後に仕切る垂直基板２３ｂとを備えている。水平基板２３ａ上には、図示しない回路部品に加え、表示シート２２の各スイッチ部２２ａの中心に対向して電源オンのときに点灯し、電源オフのときに消灯する三つの光源（ＬＥＤ）２５が配置され、さらに、左右いずれかの一側部に矩形孔２１ｂ，２２ｂに対面するＵＳＢポート２６が設けられている。なお、三つのＬＥＤ２５は、上述したカバー２１や表示シート２２と共にソケット増設装置３の表示部を構成している。
【００３０】
また、前述した三つの分配用ソケット２７は、一端が切欠き２０ａに嵌合され、他端が垂直基板２３ｂの背面に接続されており、スイッチ部２２ａの番号に対応して並列に配置されている。なお、図２（ａ）における符号２３ｃは、三つの分配用ソケット２７のシリンダ部２７ａを電気的に接続するための電線である。この電線２３ｃの接続によって、三つの分配用ソケット２７は一箇所から給電可能となる。
【００３１】
分配用ソケット２７は、電源ソケット５と同形、同一寸法のシリンダ状をなし、特に図３（ｂ），図４（ｂ）に示すように、切欠き２０ａに嵌合される一端開口したプラス・マイナスの一方の極を構成する導電性金属からなるシリンダ部２７ａの他端内面に、絶縁部２７ｂを介して他方の極となる突起状の接続端子部２７ｃを中心に形成されたものであり、各分配用ソケット２７には、後付けの外部機器である端末機器（例えば、前述したカーナビの液晶モニタ１１など）や携帯機器の接続コードの入力端に設けられた接続用プラグ１２が接続されることにより、電気的に接続可能となっている。
【００３２】
図５に示すように、回路部２３の前段には、電圧制御部である電圧制御回路３０が設けられている。電圧制御回路３０によって、カーバッテリーから供給されるＤＣ１２Ｖの電源電圧は、１０Ｖに降圧された後に５Ｖずつに振り分けられ、そのうちの一方が駆動部３１を介して各スイッチ部２２ａに出力され、各スイッチ部２２ａの押圧操作により入切される。したがって、スイッチ部２２ａの電圧は通常電圧よりも低電圧であるため、各スイッチ部２２ａが上述したごとくタッチパネル式の小容量スイッチであっても作動は確実で、耐久性を得ることができる。
【００３３】
また、電圧制御回路３０により振り分けられた他方の５Ｖの電圧は、更に３．３Ｖに降圧され、駆動部３１を介してＬＥＤ２５に出力される。３．３Ｖに降圧された電圧はＬＥＤ２５にとって適正駆動電圧であり、この駆動電圧によりスイッチ部２２ａの入切操作ごとに各ＬＥＤ２５は点灯・消灯駆動される。そして、該当するスイッチ部２２ａが「入」となっている状態では対向するＬＥＤ２５が点灯してそのスイッチ部２２ａを画成する円内が発光により明るくなるため、そのスイッチ部２２ａがオンであることを目視確認することができる。さらに、スイッチ部２２ａのオフによりＬＥＤ２５は消灯し、該当する円内に暗視野となるため、電源が絶たれたことを確認することができる。
【００３４】
回路部２３の後段に配置された駆動部である駆動回路３１の入力端は、ＤＣ１２Ｖ電源に直接接続されているとともに、駆動回路３１の出力端はスイッチ部２２ａ及びＬＥＤ２５の他、分配用ソケット２７に接続されている。それゆえ、各分配用ソケット２７にはＤＣ１２Ｖ電源の電圧を直接、あるいは適宜降圧された電流が通電されるとともに、スイッチ部２２ａの入切による変化をトリガー信号として駆動回路３１に入力することによって該当する分配用ソケット２７に対する通電を入切制御することができる。
【００３５】
なお、ＬＥＤ２５は他の素子に比べて消費電力が極めて小さいこと、及びＲＧＢの三種類を選択可能となることから、一つのスイッチ部２２ａに二つの異なる色彩のＬＥＤを配置し、回路部内に論理回路などを組み込みこれにそれぞれを接続するなどの工夫により、電源オンで一方の色のＬＥＤを点灯させ、電源オフで他方の色のＬＥＤを点灯させることができる。例えば、各スイッチ部２２ａごとに赤色及び青色の二つのＬＥＤを配置し、電源オフで赤色だけを点灯させ、電源オンで赤色を消灯して青色を点灯させるなどが可能となり、表示の変化が更に鮮明に目視確認され、デザイン性も向上するようになる。
【００３６】
また、この実施の形態では、入力用プラグ６と接続用プラグ１２を同形、同寸法とし、これに対応して各分配用ソケット２７も電源ソケット５と同形、同寸法のシリンダ形としている。これは元々電源ソケット５が従来のシガーライターなどの専用の車載用機器に適用させるために分配用ソケット２７の形状を電源ソケット５と同一形状、寸法とすることにより、従来の機器及びその使用方法に互換性をもたらせたものである。しかしながら、各分配用ソケット２７の形状を、接続される各種外部機器に元々附属している給電用端子の形状に応じた各種接続形状にあわせて形成するもできる。
【００３７】
さらに、スイッチ部２２ａ及び分配用ソケット２７の数は三つに限定されることはなく、少なくとも二つ、あるいは四つ以上であってもよい。ただし、カーバッテリーの容量を超えた使用の規制などを勘案すると、この実施の形態のように三つであることが望ましい。
【００３８】
「第二の実施の形態」
図６には本考案の第二の実施の形態を示している。なお、上述した第一の実施の形態と同一箇所には同一符号を付して説明を省略する。
図６に示すように、この実施の形態では、ソケット増設装置３のケース２０を、本体ケース４０と、スイッチ操作用のリモコンケース４１とに分割し、両ケース４０，４１の間を中間コード４２で接続している。
【００３９】
本体ケース４０の一端面は閉塞され、この閉塞面側には電源ソケット５に接続する入力用プラグ６が設けられた電源コード７が引き込まれ、図示しないが、本体ケース４０内に設けられた上述した回路部２３と略同等の回路部に接続されるとともに、本体ケース４０の背面側にはその内外を貫通して図示しない三つの分配用ソケットが設けられている。分配用ソケットには外部機器の電源コード１１ａの給電端に設けられた接続用プラグ１２が差し込まれて接続されている。
【００４０】
リモコンケース４１の前面は開口形成されており、この開口面はカバー２１により閉塞されている。カバー２１の表面には表示シート２２が固着されている。表示シート２２は、タッチパネルスイッチを兼用するもので、その表面には三つのスイッチ部２２ａが設けられている。各スイッチ部２２ａの背面は回路部の一部と連動して接離可能になっているとともに、ケース４１内において、各スイッチ部２２ａの背面の中心にはＬＥＤがこれらのスイッチ部２２ａと対向して配置されている。なお、図６における符号２２ｂ（２１ｂ）はＵＳＢコード２４が差し込まれる矩形孔である。
【００４１】
中間コード４２は、スイッチ部２２ａ及びＬＥＤに本体ケース４０内に内蔵された電圧制御回路３０（図５参照）により降圧された適正電圧をリモコンケース４１側に供給するとともに、本体ケース４０内の駆動回路３１（図５参照）にスイッチ部２２ａの入切操作に基づくトリガー信号を伝達するための複数の心線が内蔵されたものである。
【００４２】
なお、図６における符号４３は、本体ケース４０及びリモコンケース４１を車内Ｒの適宜位置に固定するために使用する両面粘着テープである。本体ケース４０は、車内Ｒにおいて、電源ソケット５及び使用される後付けの外部機器に近い位置でも運転者などの動作の邪魔にならない位置に粘着テープ４３を介して固定するようになっている。また、リモコンケース４１も、粘着テープ４３により使用者（運転者又は同乗者）に操作しやすく目立つ位置に固定するか、あるいは固定せずに車内Ｒにおいて使用者がこれを手に持って操作することができるようにしてもよく、使用者の使い勝手に応じて固定又は非固定とすることができる。
【００４３】
以上、上述した各実施の形態によれば、タッチパネルスイッチを用いたことにより、スイッチ部２２ａ及びＬＥＤ２５などから構成された表示部が平坦となり、ケース２０形状がコンパクトとなる。また、デザイン性が向上する。さらに、従来のトグルスイッチなどを用いた場合に比べて凹凸がないため、狭い車内Ｒでこれらに引っ掛かることなどがなく、誤作動などを防止し、扱いやすいものとなる。
【００４４】
また、分配用ソケット２７、スイッチ部２２ａ及びＬＥＤ２５が並列した半透明のシート状部材により形成されることにより、スイッチ部２２ａに光を透過させるなどの装飾が可能となり、デザイン性が向上する。また、ＵＳＢポート２６が設けられたことにより、汎用性が向上する。
【００４５】
さらに、特に第二の実施の形態によれば、ケースを、本体ケース４０とリモコンケース４１に分割して構成することにより、本体ケース４０を接続に適した位置に設置する一方で、リモコンケース４１を好みの位置で使用することができるため、使い勝手がよいものとなる。さらに、本体ケース４０とリモコンケース４１の間を接続する中間コード４２を細径とすることができるため、デザイン上の制約が少なくなり、また、嵩張らず、扱いやすいものとなる。
【符号の説明】
【００４６】
１…センターコンソール、１ａ…コンソールボックス、２…シフトレバー、３…車載用シガーライターソケット増設装置、４…インストルメントパネル、５…電源ソケット（シガーライターソケット）、６…入力用プラグ、６ａ…同極端子部、６ｂ…異極端子部、７…電源コード、８…ステアリングホイール、９…メータパネル、１０…グローブボックス、１１…（カーナビの）液晶モニタ、１１ａ…（外部機器の）電源コード、１２…（外部機器の）接続用プラグ、２０…ケース、２０ａ…切欠き、２１…カバー、２１ａ…円形孔、２１ｂ…矩形孔、２２…表示シート、２２ａ…スイッチ部、２２ｂ…矩形孔、２３…回路部、２３ａ…水平基板、２３ｂ…垂直基板、２３ｃ…電線、２４…ＵＳＢコード、２５…ＬＥＤ、２６…ＵＳＢポート、２７…分配用ソケット、２７ａ…シリンダ部、２７ｂ…絶縁部、２７ｃ…接続端子部、３０…電圧制御回路（電圧制御部）、３１…駆動回路（駆動部）、４０…本体ケース、４１…リモコンケース、４２…中間コード、４３…両面粘着テープ、Ｐ…ダッシュパネル、Ｒ…（乗用車の）車内
【図１】
0003171342.tif 000003
【図２】
0003171342.tif 000004
【図３】
0003171342.tif 000005
【図４】
0003171342.tif 000006
【図５】
0003171342.tif 000007
【図６】
0003171342.tif 000008